(57)【要約】【目的】静止画記録を確保しつつ，動画の残り記録時間を表示する。【構成】メモリ・カードの残容量を読み取る。読み取られた残容量から１駒分の静止画のデータ量を減算したデータ量にもとづいて動画の残り記録時間を算出する。算出された動画残り記録時間が表示される。表示された時間を見ることにより，動画を記録することができる時間が分かる。動画残り記録時間は，１駒の静止画を記録できる容量を除いて算出しているので，動画残り記録時間が０となっても静止画記録を確保できる。【選択図】  図２
2004228826.tif 000002
【特許請求の範囲】
【請求項１】
記録媒体の残容量を検出する残容量検出手段，
上記残容量検出手段によって検出された残容量から１駒分の静止画データを記録するのに必要な静止画容量を減算する減算手段，
上記減算手段による静止画容量の減算後の記録容量にもとづいて，動画データの記録時間を算出する動画記録時間算出手段，および
上記動画記録時間算出手段によって算出された動画記録時間を報知する第１の報知手段，
を備えた動画記録時間算出装置。
【請求項２】
上記１駒分の静止画データのデータ量に相当する動画データの記録時間を報知する第２の報知手段をさらに備えた請求項１に記載の動画記録時間算出装置。
【請求項３】
記録媒体の残容量を検出し，
検出された残容量から１駒分の静止画データを記録するのに必要な静止画容量を減算し，
静止画容量の減算後の記録容量にもとづいて，動画データの記録時間を算出し，
算出された動画記録時間を報知する，
動画記録時間算出方法。
【発明の詳細な説明】
【０００１】
【技術分野】
この発明は，動画記録時間算出装置および方法に関する。
【０００２】
【発明の背景】
ディジタル・ムービ・ビデオ・カメラにおいては，動画記録が可能な残り時間を表示できるものが多い。残り時間を確認しながら，撮影が続行される。ディジタル・ムービ・ビデオ・カメラによっては，動画の他に静止画を記録できるものもある。静止画は一般的に高画質のものが多いから動画を構成する一駒の画像のデータ量よりもデータ量が多い。動画の残りの記録時間が分かっても，静止画を記録できないことがある。
【０００３】
このために，記録媒体の領域を動画記録領域と静止画記録領域とに分けることによって，動画の記録時間と静止画の記録可能駒数とを表示できるものがある（例えば，特許文献１）。
【０００４】
【特許文献１】
特開平２００１−６９４４２号公報
【０００５】
しかながら，記録領域を動画用と静止画用とに分けなければならず，比較的煩雑となる。
【０００６】
【発明の開示】
この発明は，比較的簡単に，静止画記録を確保しつつ動画の残り記録時間を報知することを目的とする。
【０００７】
この発明による動画記録時間算出装置は，記録媒体の残容量を検出する残容量検出手段，上記残容量検出手段によって検出された残容量から１駒分の静止画データを記録するのに必要な静止画容量を減算する減算手段，上記減算手段による静止画容量の減算後の記録容量にもとづいて，動画データの記録時間を算出する動画記録時間算出手段，および上記動画記録時間算出手段によって算出された動画記録時間を報知する第１の報知手段を備えていることを特徴とする。
【０００８】
この発明は，上記動画記録時間算出装置に適した方法も提供している。すなわち，この発明は，記録媒体の残容量を検出し，検出された残容量から１駒分の静止画データを記録するのに必要な静止画容量を減算し，静止画容量の減算後の記録容量にもとづいて，動画データの記録時間を算出し，算出された動画記録時間を報知するものである。
【０００９】
この発明によると，記録媒体の残容量が検出され，検出された残容量から静止画容量が減算される。減算後の記録容量にもとづいて動画データの記録時間が算出され，算出された動画記録時間が報知（表示，プリント出力，音声出力）される。
【００１０】
報知される動画記録時間は，一駒の静止画データを記録媒体に記録できる容量を除いたものである。このために，動画記録時間が０となっても少なくとも一駒の静止画を表す画像データを記録媒体に記録できる。静止画記録を確保できるようになる。動画記録時間が０となったときには，動画記録を停止するようにしてもよい。静止画記録よりも動画記録を優先する場合には，動画記録の停止を解除して，一駒分の静止画を表す画像データを記録できる領域を利用して動画記録をするようにしてもよい。
【００１１】
上記１駒分の静止画データのデータ量に相当する動画データの記録時間を報知する第２の報知手段をさらに備えるようにしてもよい。
【００１２】
動画データの記録時間を参照して，静止画の残り記録可能枚数を算出することができる。
【００１３】
【実施例の説明】
図１は，この発明の実施例を示すもので，動画記録と静止画記録とが可能なディジタル・カメラの電気的構成を示すブロック図である。
【００１４】
ディジタル・カメラの全体の動作は，制御回路１２によって統括される。
【００１５】
上述したように，ディジタル・カメラは，動画記録と静止画記録との両方が可能である。動画記録指令をディジタル・カメラに与えるために動画記録スイッチ１３が設けられ，静止画記録指令をディジタル・カメラに与えるために静止画記録スイッチ１４が設けられている。動画記録スイッチ１３から出力される信号および静止画記録スイッチ１４から出力される信号は，制御回路１２に入力する。
【００１６】
撮像レンズ１によって，被写体の光像がＣＣＤ２の受光面上に結像する。ＣＣＤ２は，水平方向１２８０画素垂直方向９６０画素をもつものである（もちろん，そのほかの画素数をもつものでもよい）。モード設定スイッチ（図示略）により撮像モードが設定されると，ＣＣＤ２において一定周期（例えば，１／３０秒周期）で被写体が撮像され，被写体像を表すアナログ映像信号が出力される。映像信号は，アナログ信号処理回路３に与えられ，相関二重サンプリング，アナログ／ディジタル変換などの所定のアナログ信号処理が行われる。
【００１７】
アナログ信号処理回路３から出力された画像データは，動画処理回路４に与えられる。動画処理回路４には，輝度データ／色差データ生成回路，水平方向６４０画素垂直方向４８０画素のＶＧＡ（ｖｉｄｅｏ  ｇｒａｐｈｉｃ  ａｒｒａｙ）へのリサイズ回路，ＭＰＥＧ（ｍｏｖｉｎｇ  ｐｉｃｔｕｒｅ  ｅｘｐｅｒｔｓ  ｇｒｏｕｐ）圧縮回路などが内蔵されている。動画データをメモリ・カード１１に記録するときには，ＭＰＥＧ圧縮回路によりＭＰＥＧ圧縮が行われ，メモリ・カード１１に記録しないときには，動画データはＭＰＥＧ圧縮回路を単に通過する。
【００１８】
動画処理回路４から出力された画像データは，表示／動画バッファ５を介してスーパー・インポーズ回路８に与えられる。このスーパー・インポーズ回路８は，後述するように被写体像上に動画記録の残り時間を表示するために用いられるものである。動画記録の残り時間を示すデータは，制御回路１２から与えられる。動画記録の残り時間の算出について詳しくは，後述する。スーパー・インポーズ回路８から出力された画像データは，表示インターフェイス８を介して表示装置９に与えられる。表示装置９の表示画面上に被写体像および動画記録の残り時間が表示される。
【００１９】
撮像モードが設定されているときに，動画記録スイッチ１３がオンされると，上述のようにして動画処理回路４に与えられた動画データは，リサイズおよび輝度データ／色差データ生成処理が行われるほかにＭＰＥＧ圧縮が行われる。ＭＰＥＧ圧縮された動画データがコントローラ１１によってメモリ・カード１５に記録される。
【００２０】
シャッタ・レリーズ・ボタン１４が押されると，シャッタ・レリーズ・ボタン１４が押されたタイミングで撮影された画像データがアナログ信号処理回路３から静止画処理回路６に入力する。静止画処理回路６において輝度データおよび色差データの生成処理ならびにＪＰＥＧ（ｊｏｉｎｔ  ｐｈｏｔｏｇｒａｐｈｉｃ  ｅｘｐｅｒｔｓ  ｇｒｏｕｐ）圧縮が行われる。ＪＰＥＧ圧縮された画像データが静止画バッファ７を介してコントローラ１１に入力する。コントローラ１１によって，ＪＰＥＧ圧縮された静止画画像データがメモリ・カード１５に記録される。
【００２１】
メモリ・カード１５の残容量は，コントローラ１１によって検出される。検出された残容量を表すデータはコントローラ１１から制御回路１２に与えられる。制御回路１２において，式１にもとづいて動画記録の残り時間が算出される。
【００２２】
動画記録残り時間＝
（メモリ・カード１５の残容量−１駒分の静止画の画像データ量）／
１秒分の動画の動画データ量・・・式１
【００２３】
この実施例においては，動画の記録残り時間が０となっても１駒分の静止画を表す画像データをメモリ・カード１５に記録できるようにしている。このために，式１においてメモリ・カード１５の残容量から１駒分の静止画の画像データ量が減算されている。ここで，１駒分の静止画の画像データ量は，ＣＣＤ２の画素数と静止画処理回路６におけるＪＰＥＧ圧縮の圧縮率にもとづいて計算できる。また，１秒分の動画の動画データ量は，ＶＧＡの画素数と撮像周期（上述のように，例えば，１／３０秒）とＭＰＥＧの圧縮率にもとづいて計算できるのは理解できよう。
【００２４】
ただし，動画データの記録中にシャッタ・レリーズ・ボタン１４が押された場合には，シャッタ・レリーズ・ボタン１４の押下に伴って１駒分の静止画像データがメモリ・カード１５に記録されるから，式２に示すように，メモリ・カード１５の残容量からさらに１駒分の静止画の画像データ量が減算されたデータ量に１秒分の動画の動画データ量を用いて除算が行われる。
【００２５】
動画記録残り時間＝
（メモリ・カード１５の残容量−２駒分の静止画の画像データ量）／
１秒分の動画の動画データ量・・・式２
【００２６】
このようにして動画記録残り時間が算出されると，その動画記録残り時間を表すデータがスーパー・インポーズ回路８に与えられる。すると，表示装置１０の表示画面において被写体像上に動画記録時間が表示されることとなる。
【００２７】
図２は，表示装置１０の表示画面に表示される画像の一例である。
【００２８】
表示装置１０の表示画面２０のほぼ全体に，撮像により得られた被写体像２３が表示されている。表示画面２０の上部２１には，上述した式１または式２にもとづいて算出された動画記録残り時間が表示されている。さらに，動画記録残り時間の下の領域２２には，静止画１枚（駒）の画像データ量に相当する動画データの記録時間が表示されている。
【００２９】
ユーザは，表示画面２０に表示されている動画記録残り時間を見ることにより動画を記録できる時間を知ることができる。動画記録残り時間が短くなったことにより，必要であれば新たなメモリ・カードがディジタル・カメラに装填されることとなろう。動画記録残り時間は，１駒の静止画を記録できる容量は確保されて算出されているので，動画記録残り時間が０になっても１駒の静止画を記録することができる。
【００３０】
また，静止画１枚あたりの画像データ量に相当する動画データの記録時間も表示されるので，動画記録残り時間も参照することにより，静止画の残り記録可能枚数も分かる。
【００３１】
図３は，動画記録モードにおけるディジタル・カメラの処理手順を示すフローチャートである。
【００３２】
撮像モードが設定されているときに，動画記録スイッチ１３がオンされると（ステップ３１でＹＥＳ），動画記録モードに移行する。すると，上述のように一定周期で被写体が撮像されることにより得られた動画データがメモリ・カード１５に記録されていく（ステップ３２）。
【００３３】
シャッタ・レリーズ・ボタン１４が押されなければ（ステップ３３でＮＯ），メモリ・カード１５の残容量がコントローラ１１によって読み取られる（ステップ３７）。すると，上述した式１にもとづいて動画残り記録時間が算出される（ステップ３８）。シャッタ・レリーズ・ボタン１４が押された場合も（ステップ３３でＹＥＳ），メモリ・カード１５の残容量がコントローラ１１によって読み取られる（ステップ３４）。すると，上述した式２にもとづいて動画残り記録時間が算出される（ステップ３５）。シャッタ・レリーズ・ボタン１４の押下のタイミングで得られた静止画を表す画像データがメモリ・カード１５に記録される（ステップ３６）。
【００３４】
このようにして動画残り記録時間が算出されると，算出された動画残り記録時間が表示装置１０の表示画面上に上述のように表示される（ステップ３９）。
【００３５】
動画記録スイッチ１３がオフされるまで，ステップ３２から３９までの処理が繰り返される（ステップ４０）。
【００３６】
動画記録時間が０となったことにより動画記録を停止することが好ましい。動画記録時間が０となってもメモリ・カード１５には１駒の静止画を記録できる容量が残っていることとなる。動画記録時間が０となり動画記録が停止した場合に，動画記録の停止を解除できるようにしてもよい。メモリ・カード１５には，一駒分の静止画を記録できる容量が残っているので，その容量のデータ量に相当する動画データをメモリ・カード１５に記録できる。
【００３７】
上述した実施例はハードウエアにより構成されているがソフトウエアにより実現するようにしてもよい。
【図面の簡単な説明】
【図１】ディジタル・カメラの電気的構成を示すブロック図である。
【図２】表示画面に表示される画像の一例である。
【図３】動画記録モードの処理手順を示すフローチャートである。
【符号の説明】
４  動画処理回路
６  静止画処理回路
８  スーパー・インポーズ回路
１０  表示装置
１１  コントローラ
１２  制御回路
１３  動画記録スイッチ
１４  シャッタ・レリーズ・ボタン
１５  メモリ・カード
２０  表示画面
２１  動画記録残り時間表示領域
２２  静止画１枚あたりの動画記録時間を表示する領域
【図１】
2004228826.tif 000003
【図２】
2004228826.tif 000004
【図３】
2004228826.tif 000005